(57)【特許請求の範囲】
【請求項１】
注射液が入れられたアンプルを収容するアンプル収容部を備え、前記注射液を被施術者に注入する注入ユニットと、
前記注入ユニットに連結されて、前記注射液を加圧し、前記注射液を加圧する速度を選択的に調節して、前記被施術者の体内に注入される前記注射液の注入速度を調節する注入速度調節ユニットと、を含み、
前記注入速度調節ユニットは、
前記アンプル収容部が着脱自在に結合される注入ユニット結合部と、
前記アンプル収容部に収容された前記アンプルに連結されて、前記注射液を加圧する加圧プランジャーと、
前記加圧プランジャーと同一軸線上に配され、前記加圧プランジャーをアップ／ダウンさせる加圧プランジャーアップ／ダウン駆動モジュールであり、前記加圧プランジャーに歯合されるリードスクリューと、前記リードスクリューを回転させる駆動モータと、前記加圧プランジャーの移動をガイドするガイド部と、を含む加圧プランジャーアップ／ダウン駆動モジュールと、
前記加圧プランジャーアップ／ダウン駆動モジュールを制御して、前記加圧プランジャーの加圧速度を可変させる制御部と、
前記制御部と電気的に連結されるコントローラ部と、を含み、
前記注入ユニット結合部は、
前記アンプル収容部の末端部領域が挿入される挿入溝に設けられる注入ユニット結合用胴部と、
前記注入ユニット結合用胴部に設けられ、前記アンプル収容部の回転時に、前記アンプル収容部の外側壁から側方向に突設される突出部材に係合される係止片部と、を含み、
前記係止片部は、
前記突出部材の上端部を支持する上部係止片と、
前記突出部材の下端部を支持し、該下端部を前記上部係止片側に向けて付勢する下部係止片と、を含み、
さらに、
前記注入ユニットに結合され、前記制御部に有線または無線で連結されて、前記制御部に信号を送信するスイッチユニットと、
前記注入速度調節ユニットに設けられ、前記駆動モータに電源を供給する充電式バッテリと、
前記注入速度調節ユニットに設けられ、前記充電式バッテリを充電する第１コイルと、
前記第１コイルに非接触され、前記第１コイルに電気エネルギーを供給する第２コイルが備えられる無接点充電用クラックと、を含む薬液注入装置。
【請求項２】
前記係止片部は、前記突出部材の前端部を支持し、前記突出部材のアンプル収容部の回転を制限するストッパーをさらに含む請求項１に記載の薬液注入装置。
【請求項３】
前記注入速度調節ユニットは、
前記加圧プランジャーが貫通し、前記注入速度調節ユニットの内部への液体の侵入を防止する防水部をさらに含む請求項１または２に記載の薬液注入装置。
【請求項４】
前記防水部は、
前記加圧プランジャーが貫通する貫通孔が設けられる防水部胴体と、
前記防水部胴体に支持され、前記加圧プランジャーの外側壁と前記貫通孔の側壁との間隙を密封する水密部材と、
を含む請求項３に記載の薬液注入装置。
【請求項５】
前記ガイド部は、
前記加圧プランジャーの回転を阻止する回転阻止部を含む請求項１に記載の薬液注入装置。
【請求項６】
前記回転阻止部は、
前記加圧プランジャーの外側壁に形成される非曲線形側面部に結合される非曲線形内壁部を含む請求項５に記載の薬液注入装置。
【請求項７】
前記加圧プランジャーは、
内壁部に前記リードスクリューに歯合される雌ネジ部が設けられるプランジャー本体と、
前記プランジャー本体の上端部に結合されるプランジャーキャップと、
を含む請求項６に記載の薬液注入装置。
【請求項８】
前記プランジャーキャップは、
前記プランジャー本体に連結され、円筒状を有するキャップ胴部と、
前記キャップ胴部に連結され、断面積が前記キャップ胴部の断面積よりも小さく設けられるネック部と、
前記ネック部に連結され、断面積が前記ネック部の断面積よりも大きく設けられるキャップヘッド部と、
を含む請求項７に記載の薬液注入装置。
【請求項９】
前記プランジャーキャップは、
前記ネック部に支持される気密部材をさらに含む請求項８に記載の薬液注入装置。
【請求項１０】
前記注入ユニットは、
前記アンプル収容部に連結されるチューブと、
前記チューブに連結されるニードルホルダーと、
前記ニードルホルダーに結合される体内注入用ニードルと、
をさらに含む請求項１〜４の何れか１項に記載の薬液注入装置。
【請求項１１】
前記アンプル収容部は、
前記アンプルが収容される収容部本体と、
前記収容部本体に結合され、前記チューブと連通されるアンプル用ニードルと、
を含む請求項１０に記載の薬液注入装置。
【請求項１２】
前記スイッチユニットは、前記注射液の加圧をオン／オフするボタンが設けられるパネル部と、
前記注入ユニットに結合され、前記パネル部を支持するパネル用ブラケットと、
を含む請求項１に記載の薬液注入装置。
【請求項１３】
前記注入速度調節ユニットは、
前記ニードルホルダーを把持するニードルホルダー用ブラケットをさらに含む請求項１０に記載の薬液注入装置。
【発明の詳細な説明】
【技術分野】
【０００１】
本発明は、薬液注入装置に係り、より詳細には、被施術者の体内に注入される注射液の注入速度を調節して、被施術者に苦痛を与えず、被施術者の体内に注射液を注入させることができる薬液注入装置に関する。
【背景技術】
【０００２】
インプラントは、元々人体組織が喪失された時、回復させる代替物を意味するが、歯科では、人工歯を移植する一連の施術を示す。
【０００３】
インプラントを簡単に説明すれば、喪失された歯根（根）の代わりに、人体に拒絶反応のないチタン（ｔｉｔａｎｉｕｍ）などで作った歯根であるフィクスチャー（ｆｉｘｔｕｒｅ）を抜歯された歯槽骨に植えた後、人工歯を固定させて、歯牙の機能を回復させる施術である。
【０００４】
インプラント施術は、フィクスチャーの種類によって多様であるが、所定のドリルを使って植立位置を穿孔した後、フィクスチャーを歯槽骨に植立して骨に骨融合させた後、フィクスチャーに支台柱（ａｂｕｔｍｅｎｔ）を結合させた後に、支台柱に最終補綴物を被せることによって、完了することが一般的である。
【０００５】
一般補綴物や総入れ歯の場合、経時的に周の歯牙と骨とが傷むが、インプラントは、周辺歯牙組織を傷まないようにし、自然歯と機能や形状において同じながらも、虫歯が生じないので、半永久的に使える長所がある。
【０００６】
また、インプラント施術は、単一欠損歯の修復はもとより部分無歯症及び完全無歯症患者に義歯の機能を増進させ、補綴修復の審美的な面を改善させ、さらに周の支持骨組織に加えられる過度な応力を分散させると共に、歯列の安定化に役に立つ。
【０００７】
一方、インプラント施術は、その施術過程で歯茎切開、ドリルによる穿孔などを行うことによって、被施術者に多くの苦痛を誘発する。したがって、インプラント施術で、施術部位に対する局部麻酔は必須である。
【０００８】
このような局部麻酔は、通常注射器で麻酔液を加圧して施術部位に麻酔液を注入する方式でなされる。この際、麻酔液の注入速度、すなわち、麻酔液の加圧速度が早ければ、麻酔液の注入部位に過度な圧力が発生し、それにより、被施術者が痛みを感じる。
【０００９】
したがって、麻酔液の注入は、なるべく遅い速度でなされなければならない。ところで、麻酔液の注入速度を遅らせば、麻酔液の注入時間が増え、結局、施術者が注射器を持っている時間が増える。
【００１０】
施術者が注射器を持っている時間が増えれば、施術者が一定の注入速度を保持しにくく、施術者の手ぶれ現象によって被施術者が痛みを感じる。したがって、このような問題点を解決するために、施術者が麻酔液の注入のために直接麻酔液を加圧せず、別途の加圧器具を通じて麻酔液を加圧する方式の薬液注入装置の開発が要求されている。
【００１１】
また、このような薬液注入装置は、使用の便宜性のために、小型化またはスリム化が必須であり、このような小型化またはスリム化を果たすために、内部部品の配置（ｌａｙｏｕｔ）が最適化された薬液注入装置の開発が必要な実情である。
【発明の概要】
【発明が解決しようとする課題】
【００１２】
本発明が解決しようとする課題は、麻酔液などの注射液の注入のために、施術者が直接注射液を加圧する必要がなく、内部部品の配置が最適化されて、小型化及びスリム化された薬液注入装置を提供するところにある。
【課題を解決するための手段】
【００１３】
本発明の一側面によれば、注射液が入れられたアンプルを収容するアンプル収容部を備え、前記注射液を被施術者に注入する注入ユニットと、前記注入ユニットに連結されて、前記注射液を加圧し、前記注射液を加圧する速度を選択的に調節して、前記被施術者の体内に注入される前記注射液の注入速度を調節する注入速度調節ユニットと、を含み、前記注入速度調節ユニットは、前記アンプル収容部が着脱自在に結合される注入ユニット結合部と、前記アンプル収容部に収容された前記アンプルに連結されて、前記注射液を加圧する加圧プランジャーと、前記加圧プランジャーと同一軸線上に配され、前記加圧プランジャーをアップ／ダウン（ｕｐ／ｄｏｗｎ）させる加圧プランジャーアップ／ダウン駆動モジュールと、を含む薬液注入装置が提供されうる。
【００１４】
前記加圧プランジャーアップ／ダウン駆動モジュールは、前記加圧プランジャーに歯合されるリードスクリューと、前記リードスクリューを回転させる駆動モータと、前記加圧プランジャーの移動をガイドするガイド部と、を含みうる。
【００１５】
前記ガイド部は、前記加圧プランジャーの回転を阻止する回転阻止部を含みうる。
【００１６】
前記回転阻止部は、前記加圧プランジャーの外側壁に形成される非曲線形側面部に結合される非曲線形内壁部を含みうる。
【００１７】
前記加圧プランジャーは、内壁部に前記リードスクリューに歯合される雌ネジ部が設けられるプランジャー本体と、前記プランジャー本体の上端部に結合されるプランジャーキャップと、を含みうる。
【００１８】
前記プランジャーキャップは、前記プランジャー本体に連結され、円筒状を有するキャップ胴部と、前記キャップ胴部に連結され、断面積が前記キャップ胴部の断面積よりも小さく設けられるネック部と、前記ネック部に連結され、断面積が前記ネック部の断面積よりも大きく設けられるキャップヘッド部と、を含みうる。
【００１９】
前記プランジャーキャップは、前記ネック部に支持される気密部材をさらに含みうる。
【００２０】
前記注入ユニット結合部は、前記アンプル収容部の末端部領域が挿入される挿入溝に設けられる注入ユニット結合用胴部と、前記注入ユニット結合用胴部に設けられ、前記アンプル収容部の回転時に、前記アンプル収容部の外側壁から側方向に突設される突出部材に係合される係止片部と、を含みうる。
【００２１】
前記係止片部は、前記突出部材の上端部を支持する上部係止片と、前記突出部材の下端部を支持し、前記上部係止片側に付勢される下部係止片と、を含みうる。
【００２２】
前記係止片部は、前記突出部材の前端部を支持し、前記突出部材のアンプル収容部の回転を制限するストッパーをさらに含みうる。
前記注入速度調節ユニットは、前記加圧プランジャーが貫通し、前記注入速度調節ユニットの内部への液体の侵入を防止する防水部をさらに含みうる。
【００２３】
前記防水部は、前記加圧プランジャーが貫通する貫通孔が設けられる防水部胴体と、前記防水部胴体に支持され、前記加圧プランジャーの外側壁と前記貫通孔の側壁との間隙を密封する水密部材と、を含みうる。
【００２４】
前記注入速度調節ユニットは、加圧プランジャーアップ／ダウン駆動モジュールを制御して、前記加圧プランジャーの加圧速度を可変させる制御部と、前記制御部と電気的に連結されるコントローラ部と、をさらに含みうる。
【００２５】
前記注入ユニットは、前記アンプル収容部に連結されるチューブと、前記チューブに連結されるニードルホルダーと、前記ニードルホルダーに結合される体内注入用ニードルと、をさらに含みうる。
【００２６】
前記アンプル収容部は、前記アンプルが収容される収容部本体と、前記収容部本体に結合され、前記チューブと連通されるアンプル用ニードルと、を含みうる。
【００２７】
前記注入ユニットに結合され、前記制御部に有線または無線で連結されて、前記制御部に信号を送信するスイッチユニットをさらに含みうる。
【００２８】
前記スイッチユニットは、前記注射液の加圧をオン／オフ（ｏｎ／ｏｆｆ）するボタンが設けられるパネル部と、前記注入ユニットに結合され、前記パネル部を支持するパネル用ブラケットと、を含みうる。
【００２９】
前記注入速度調節ユニットに設けられ、前記駆動モータに電源を供給する充電式バッテリと、前記注入速度調節ユニットに設けられ、前記充電式バッテリを充電する第１コイルと、前記第１コイルに非接触され、前記第１コイルに電気エネルギーを供給する第２コイルが備えられる無接点充電用クラックと、をさらに含みうる。
【００３０】
前記注入速度調節ユニットは、前記ニードルホルダーを把持するニードルホルダー用ブラケットをさらに含みうる。
【発明の効果】
【００３１】
本発明の実施形態は、注入速度調節ユニットの加圧プランジャーが注射液を加圧することによって、注射液の注入のために、施術者が直接注射液を加圧する必要がなく、加圧プランジャーをアップ／ダウンさせる加圧プランジャーアップ／ダウン駆動モジュールが加圧プランジャーと同一軸線上に配されることによって、注入速度調節ユニットを小型化またはスリム化することができる。
【図面の簡単な説明】
【００３２】
【図１】本発明の一実施形態による薬液注入装置が示された斜視図である。
【図２】図１を他の方向から見た斜視図である。
【図３】図１のアンプル収容部が示された斜視図である。
【図４】図１の注入ユニットの内部が示された図面である。
【図５】図１の注入速度調節ユニットが示された図面である。
【図６】図５の加圧プランジャーアップ／ダウン駆動モジュールが示された図面である。
【図７】図６のリードスクリューが示された図面である。
【図８】図７のプランジャーキャップとプランジャー本体とが示された図面である。
【図９】図７のプランジャーキャップに気密部材が結合された図面である。
【図１０】図６のガイド部が示された図面である。
【図１１】図６の防水部が示された図面である。
【図１２】図５の注入ユニット結合部が示された図面である。
【図１３】図１の注入速度調節ユニットが無接点充電用クラックに据え置きされた図面である。
【発明を実施するための形態】
【００３３】
本発明と本発明の動作上の利点、及び本発明の実施によって達成される目的を十分に理解するためには、本発明の望ましい実施形態を例示する添付図面及び添付図面に記載の内容を参照しなければならない。
【００３４】
以下、添付図面を参照して、本発明の望ましい実施形態を説明することによって、本発明を詳しく説明する。但し、本発明を説明するに当って、既に公知された機能あるいは構成についての説明は、本発明の要旨を明瞭にするために省略する。
【００３５】
図１は、本発明の一実施形態による薬液注入装置が示された斜視図であり、図２は、図１を他の方向から見た斜視図であり、図３は、図１のアンプル収容部が示された斜視図であり、図４は、図１の注入ユニットの内部が示された図面であり、図５は、図１の注入速度調節ユニットが示された図面であり、図６は、図５の加圧プランジャーアップ／ダウン駆動モジュールが示された図面であり、図７は、図６のリードスクリューが示された図面であり、図８は、図７のプランジャーキャップとプランジャー本体とが示された図面であり、図９は、図７のプランジャーキャップに気密部材が結合された図面であり、図１０は、図６のガイド部が示された図面であり、図１１は、図６の防水部が示された図面であり、図１２は、図５の注入ユニット結合部が示された図面であり、図１３は、図１の注入速度調節ユニットが無接点充電用クラックに据え置きされた図面である。
【００３６】
図１ないし図１３に示したように、本発明の実施形態による薬液注入装置は、注射液Ｊが入れられたアンプルＭを収容するアンプル収容部１１１を備え、注射液Ｊを被施術者に注入する注入ユニット１１０と、注入ユニット１１０に連結されて注射液Ｊを加圧し、注射液Ｊを加圧する速度を選択的に調節して、被施術者の体内に注入される注射液Ｊの注入速度を調節する注入速度調節ユニット１２０と、を含む。
【００３７】
注入速度調節ユニット１２０は、アンプル収容部１１１が着脱自在に結合される注入ユニット結合部１３０と、前記アンプル収容部１１１に収容された前記アンプルＭに連結されて注射液Ｊを加圧する加圧プランジャー１４０と、加圧プランジャー１４０と同一軸線上に配され、加圧プランジャー１４０をアップ／ダウンさせる加圧プランジャーアップ／ダウン駆動モジュール１５０と、を含む。
【００３８】
本実施形態の注射液Ｊは、麻酔液など被施術者の体内に注入される多様な薬物を意味する。
【００３９】
また、本実施形態において、アンプルＭは、注射液Ｊを収容する。アンプルＭは、両端部が開口されるパイプ形態のアンプル胴体Ｍ１と、アンプル胴体Ｍ１の一側開口部を密封するシーリングキャップＭ２と、アンプル胴体Ｍ１の他側開口部を密封し、アンプル胴体Ｍ１の内側壁に沿って移動可能なピストンＭ３と、を含む。
【００４０】
ピストンＭ３は、注入速度調節ユニット１２０の加圧プランジャー１４０に連結されて、注入速度調節ユニット１２０の作動によってアンプルＭ内部に収容された注射液Ｊを加圧する。
【００４１】
一方、注入ユニット１１０は、注射液Ｊを被施術者に注入する。このような注入ユニット１１０は、注入速度調節ユニット１２０の注入ユニット結合部１３０に着脱自在に結合され、アンプルＭを収容するアンプル収容部１１１と、アンプル収容部１１１に連結されるチューブ１１２と、チューブ１１２に連結されるニードルホルダー１１３と、ニードルホルダー１１３に結合される体内注入用ニードル１１４と、を含む。
【００４２】
アンプル収容部１１１は、アンプルＭを収容し、注入速度調節ユニット１２０の注入ユニット結合部１３０に着脱自在に結合される。このようなアンプル収容部１１１は、アンプルＭが収容される収容部本体１１５と、収容部本体１１５に結合され、チューブ１１２と連通されるアンプル用ニードル１１６と、を含む。
【００４３】
収容部本体１１５は、図４に示したように、内部が中空となり、アンプルＭが内部に出入りするように末端部が開口される。また、収容部本体１１５は、収容部本体１１５の末端部領域の外側壁から側方向に突設される突出部材１１７を含む。
【００４４】
本実施形態において、突出部材１１７は、一対に備えられ、収容部本体１１５の中心軸線を基準に対称に配される。
【００４５】
このような突出部材１１７によって、収容部本体１１５が注入速度調節ユニット１２０の注入ユニット結合部１３０に係合されるが、説明の便宜上、注入ユニット結合部１３０の構造は後述する。
【００４６】
アンプル用ニードル１１６は、収容部本体１１５の上側壁に結合され、チューブ１１２と連通される。このようなアンプル用ニードル１１６は、アンプルＭが収容部本体１１５に収容時に、アンプルＭのシーリングキャップＭ２を貫通してアンプルＭ内部と連通される。
【００４７】
チューブ１１２は、アンプル収容部１１１に連結され、アンプル用ニードル１１６に連通される。また、ニードルホルダー１１３は、チューブ１１２に連結され、チューブ１１２に連通される。したがって、チューブ１１２を通じてアンプルＭ内部の注射液Ｊがチューブ１１２を通じてニードルホルダー１１３に流動する。
【００４８】
体内注入用ニードル１１４は、ニードルホルダー１１３に結合され、ニードルホルダー１１３に連通される。したがって、ニードルホルダー１１３に流動した注射液Ｊが体内注入用ニードル１１４を通じて被施術者に注入される。
【００４９】
また、注入ユニット１１０は、ニードルホルダー１１３に連結される棒状の取っ手部１１８をさらに含む。このような取っ手部１１８は、施術者が注入ユニット１１０を簡便に把持可能にして、操作の便宜性を提供する。
【００５０】
一方、注入速度調節ユニット１２０は、注入ユニット１１０に連結されて注射液Ｊを加圧し、注射液Ｊを加圧する速度を選択的に調節して、被施術者の体内に注入される注射液Ｊの注入速度を調節する。
【００５１】
このような注入速度調節ユニット１２０は、注入ユニット１１０のアンプル収容部１１１が着脱自在に結合される注入ユニット結合部１３０と、アンプル収容部１１１に収容されたアンプルＭに連結され、注射液Ｊを加圧する加圧プランジャー１４０と、加圧プランジャー１４０と同一軸線上に配され、加圧プランジャー１４０をアップ／ダウンさせる加圧プランジャーアップ／ダウン駆動モジュール１５０と、を含む。
【００５２】
また、注入速度調節ユニット１２０は、注入ユニット結合部１３０、加圧プランジャー１４０及び加圧プランジャーアップ／ダウン駆動モジュール１５０を収容するハウジング１２１をさらに含む。また、ハウジング１２１には、アンプル収容部１１１と注入ユニット結合部１３０との連結のための通過孔１２３が設けられる。
【００５３】
加圧プランジャー１４０は、加圧プランジャーアップ／ダウン駆動モジュール１５０によって移動してアンプルＭのピストンＭ３を加圧する。このような加圧プランジャー１４０は、加圧プランジャーアップ／ダウン駆動モジュール１５０に連結されるプランジャー本体１４１と、プランジャー本体１４１の上端部に結合されるプランジャーキャップ１４２と、を含む。
【００５４】
プランジャー本体１４１は、内部が中空となった棒状に設けられる。このようなプランジャー本体１４１の内壁部には、後述するリードスクリュー１５１に歯合される雌ネジ部（図示せず）が設けられる。
【００５５】
また、プランジャー本体１４１の外側壁には、軸方向に配される非曲線形側面部１４１ａが設けられる。したがって、本実施形態において、プランジャー本体１４１は、図８に示したように、外周面の一部が軸方向に沿って切断された円筒状に設けられる。
【００５６】
プランジャーキャップ１４２は、プランジャー本体１４１の上端部に結合される。このようなプランジャーキャップ１４２は、プランジャー本体１４１に連結され、円筒状を有するキャップ胴部１４２ａと、キャップ胴部１４２ａに連結され、断面積がキャップ胴部１４２ａの断面積よりも小さく設けられるネック部１４２ｂと、ネック部１４２ｂに連結され、断面積がネック部１４２ｂの断面積よりも大きく設けられるキャップヘッド部１４２ｃと、を含む。
【００５７】
キャップ胴部１４２ａは、プランジャー本体１４１の上端部に嵌合される。このようなキャップ胴部１４２ａの末端部には、プランジャー本体１４１の前端部で陥没して形成された挿入溝１４１ｂに嵌合される嵌挿突起１４２ｄが突設される。
【００５８】
また、プランジャーキャップ１４２は、ネック部１４２ｂに支持される気密部材１４３をさらに含む。このような気密部材１４３は、伸縮性のあるリング（ｒｉｎｇ）状のゴムシールで設けられる。本実施形態において、気密部材１４３の外径は、キャップヘッド部１４２ｃ及びキャップ胴部１４２ａの外径よりも大きく設けられる。
【００５９】
このような気密部材１４３は、アスピレーション（ａｓｐｉｒａｔｉｏｎ）施術時に使われる。一般的に、アスピレーション施術とは、注射針を被施術者に侵襲させた後、注射針が血管（動脈または静脈）に浸透されたか否かを確認するために、注射器のプランジャーを引っ張ってみる施術を言う。
【００６０】
本実施形態で行われるアスピレーション施術方法を説明すれば、気密部材１４３がアンプル胴体Ｍ１の内壁に密着されることによって、外部空気は、ピストンＭ３と気密部材１４３との間の空間に流入されることができない。このような状態で加圧プランジャー１４０が下降すれば、ピストンＭ３と気密部材１４３との間の空間に負圧（ｎｅｇａｔｉｖｅ  ｐｒｅｓｓｕｒｅ）が発生し、それにより、ピストンＭ３が下降する。
このような気密部材１４３は、アスピレーション施術のために使われるものであって、アスピレーション施術を行わない場合には、気密部材１４３をプランジャーキャップ１４２から除去されても良い。
【００６１】
一方、加圧プランジャーアップ／ダウン駆動モジュール１５０は、加圧プランジャー１４０と同一軸線上に配され、加圧プランジャー１４０をアップ／ダウンさせる。
このような加圧プランジャーアップ／ダウン駆動モジュール１５０は、加圧プランジャー  １４０に歯合されるリードスクリュー１５１と、リードスクリュー１５１を回転させる駆動モータ１５２と、加圧プランジャー１４０の移動をガイドするガイド部１５３と、を含む。
【００６２】
リードスクリュー１５１は、プランジャー本体１４１の雌ネジ部（図示せず）に歯合され、駆動モータ１５２によって回転して加圧プランジャー１４０をアップ／ダウンさせる。
【００６３】
ガイド部１５３は、加圧プランジャー１４０に連結され、加圧プランジャー１４０の移動をガイドする。このようなガイド部１５３は、加圧プランジャー１４０の回転を阻止する回転阻止部１５４を含む。
【００６４】
本実施形態において、回転阻止部１５４は、加圧プランジャー１４０の非曲線形側面部１４１ａに結合される非曲線形内壁部１５４ａを含む。
【００６５】
このように、ガイド部１５３の非曲線形内壁部１５４ａが加圧プランジャー１４０の非曲線形側面部１４１ａに結合されることによって、リードスクリュー１５１の回転時に、加圧プランジャー１４０は、リードスクリュー１５１に沿って回転せず、上下方向に直線運動する。
【００６６】
また、ガイド部１５３には、加圧プランジャー１４０を露出させる多数個の露出孔１５５が設けられる。このような露出孔１５５は、加圧プランジャー１４０の位置を認識するためのものであって、本実施形態による注入速度調節ユニット１２０には、露出孔１５５に隣接した位置に感知センサー（図示せず）が設けられる。このような感知センサー（図示せず）は、加圧プランジャー１４０のアップ／ダウン時に、それぞれの露出孔１５５に加圧プランジャー１４０が露出されるか否かを感知する。
【００６７】
一方、注入ユニット結合部１３０には、注入ユニット１１０のアンプル収容部１１１が着脱自在に結合される。このような注入ユニット結合部１３０は、アンプル収容部１１１の末端部領域が挿入される挿入溝１３２に設けられる注入ユニット結合用胴部１３１と、  注入ユニット結合用胴部１３１に設けられ、アンプル収容部１１１の回転時に、アンプル収容部１１１の突出部材１１７に係合される係止片部１３３と、を含む。
注入ユニット結合用胴部１３１に設けられる挿入溝１３２は、ハウジング１２１の通過孔１２３と連通される。
【００６８】
係止片部１３３は、突出部材１１７の上端部を支持する上部係止片１３４と、突出部材１１７の下端部を支持し、上部係止片１３４側に付勢される下部係止片１３５と、を含む。
【００６９】
本実施形態において、下部係止片１３５は、プレート状に設けられるが、両側端部が注入ユニット結合用胴部１３１に固定される。また、下部係止片１３５は、両側端部から中央部に行くほど高さが高くなるように折曲形成されて、突出部材１１７をさらに効果的に加圧する。また、下部係止片１３５は、折り曲げられた中央部によってアンプル収容部１１１の回転時に、突出部材１１７を柔らかに移動させることができる。
【００７０】
また、このような係止片部１３３は、突出部材１１７の前端部を支持し、突出部材１１７のアンプル収容部１１１の回転を制限するストッパー１３６をさらに含む。このようなストッパー１３６は、アンプル収容部１１１が一定角度回転時に、突出部材１１７の前端部に接触されてアンプル収容部１１１の回転を阻止する。
【００７１】
一方、注入速度調節ユニット１２０は、前記加圧プランジャー１４０が貫通し、前記注入速度調節ユニット１２０の内部への液体の侵入を防止する防水部１６０をさらに含む。
【００７２】
このような防水部１６０は、前記加圧プランジャー１４０が貫通する貫通孔１６２が設けられる防水部胴体１６１と、前記防水部胴体１６１に支持され、前記加圧プランジャーの外側壁と前記貫通孔１６２の側壁との間隙を密封する水密部材１６３と、を含む。
【００７３】
本実施形態において、水密部材１６３は、Ｏリング（Ｏ−ｒｉｎｇ）で設けられる。このような水密部材１６３は、加圧プランジャー１４０の外側壁に密着されて加圧プランジャー１４０の外側壁と前記貫通孔１６２の側壁との間隙を密封することによって、挿入溝１３２の掃除時に、注入速度調節ユニット１２０の内部への液体の侵入を防止する。
【００７４】
一方、注入速度調節ユニット１２０は、加圧プランジャーアップ／ダウン駆動モジュール１５０を制御して加圧プランジャー１４０の加圧速度を可変させる制御部（図示せず）と、制御部と電気的に連結されるコントローラ部（図示せず）と、をさらに含む。
【００７５】
制御部は、注入速度調節ユニット１２０の内部に設けられ、コントロール部（図示せず）は、ケース１２１の外部に露出される。このようなコントロール部（図示せず）は、施術者が選択した加圧プランジャー１４０の加圧速度を制御部に入力する。また、コントロール部（図示せず）には、加圧プランジャー１４０の加圧及び加圧中断を入力するボタン（図示せず）が設けられる。
【００７６】
一方、注入速度調節ユニット１２０は、ニードルホルダー１１３を把持するニードルホルダー用ブラケット１７０をさらに含む。このようなニードルホルダー用ブラケット１７０は、ハウジング１２１に結合され、ニードルホルダー１１３を把持して注入ユニット１１０の携帯を簡便にする。
【００７７】
また、注入速度調節ユニット１２０には、後述するスイッチユニット１８０が有線で連結される連結用ジャック１９０が設けられる。
【００７８】
一方、本実施形態による薬液注入装置は、注入ユニット１１０に結合され、制御部に有線または無線で連結されて制御部に信号を送信するスイッチユニット１８０をさらに含む。
【００７９】
このようなスイッチユニット１８０は、注射液Ｊの加圧をオン／オフするボタン１８１が設けられるパネル部１８２と、注入ユニット１１０に結合され、パネル部１８２を支持するパネル用ブラケット１８３と、を含む。本実施形態において、パネル用ブラケット１８３は、注入ユニット１１０の取っ手部１１８に着脱自在に結合される。
【００８０】
このようなスイッチユニット１８０を通じて、施術者はコントロール部（図示せず）を使わずとも、注射液Ｊの注入及び注入中断を簡便に制御することができる。
【００８１】
このように、本実施形態による薬液注入装置は、スイッチユニット１８０が注入ユニット１１０に装着されることによって、施術者が従来技術のように、重いガンタイプを使う必要がなくて、使用が簡便である。また、薬物の注入をペダルで制御するペダルタイプに比べて、施術者が注射液Ｊの注入及び注入中断を迅速で簡便に行うことができる。
【００８２】
一方、本実施形態による薬液注入装置は、注入速度調節ユニット１２０に設けられ、駆動モータ１５２に電源を供給する充電式バッテリ（図示せず）と、注入速度調節ユニット１２０に設けられ、充電式バッテリを充電する第１コイル（図示せず）と、第１コイルに非接触され、第１コイルに電気エネルギーを供給する第２コイル（図示せず）が備えられる無接点充電用クラック２００と、をさらに含む。
【００８３】
注入速度調節ユニット１２０には、第１コイル（図示せず）が内蔵され、無接点充電用クラック２００には、第２コイルが内蔵される。第１コイルは、接続端子などを通じて第２コイルに連結されていない状態で第２コイルから電流を供給される。すなわち、第２コイルから発生した磁場が第１コイルに誘導されて第２コイルに電流を供給する。
このように、本実施形態による薬液注入装置は、充電式バッテリを無接点方式で充電することによって、充電が簡便であり、接点不良が発生せず、漏電による破損などを防止することができる。
【００８４】
このような構成を有する薬液注入装置の動作について説明する。
【００８５】
まず、施術者は、被施術者に注射液Ｊを注入時に、被施術者が痛みを感じない注射液Ｊの注入速度を決定した後、コントロール部（図示せず）を操作して加圧プランジャー１４０の加圧速度を設定する。
【００８６】
次に、注射液Ｊの注入のために、施術部位に体内注入用ニードル１１４を挿入する。
【００８７】
以後、施術者は、スイッチユニット１８０のボタン１８１を操作して注射液Ｊの加圧を制御する。
【００８８】
施術者が、スイッチユニット１８０を操作して制御部に注入を指示すれば、加圧プランジャー１４０がピストンＭ３を加圧し、ピストンＭ３の移動によってアンプルＭ内部の注射液Ｊが被施術者の体内に注入される。
【００８９】
注射液Ｊの注入過程で、施術者は、被施術者の状態変化によってスイッチユニット１８０のボタン１８１を押して注射液Ｊの注入を中断することができる。
このように、本実施形態による薬液注入装置は、注入速度調節ユニット１２０の加圧プランジャー１４０が注射液Ｊを加圧することによって、注射液Ｊの注入のために、施術者が直接注射液Ｊを加圧する必要がなく、加圧プランジャー１４０をアップ／ダウンさせる加圧プランジャーアップ／ダウン駆動モジュール１５０が、加圧プランジャー１４０と同一軸線上に配されることによって、注入速度調節ユニット１２０を小型化またはスリム化することができる。
【００９０】
以上、図面を参照して、本実施形態について詳しく説明したが、本実施形態の権利範囲が、前述した図面及び説明に限定されるものではない。
【００９１】
このように、本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属するものと言わなければならない。
【産業上の利用可能性】
【００９２】
本発明は、薬液注入装置に関するものであって、医療産業、特に、歯科医療産業に利用可能である。
【図１】
0006482565.tif 000002
【図２】
0006482565.tif 000003
【図３】
0006482565.tif 000004
【図４】
0006482565.tif 000005
【図５】
0006482565.tif 000006
【図６】
0006482565.tif 000007
【図７】
0006482565.tif 000008
【図８】
0006482565.tif 000009
【図９】
0006482565.tif 000010
【図１０】
0006482565.tif 000011
【図１１】
0006482565.tif 000012
【図１２】
0006482565.tif 000013
【図１３】
0006482565.tif 000014